(57)【要約】【課題】組立が簡単で、様々な規格で製作が可能で、コストが安価で、放熱効果が高い長尺状ＬＥＤランプホルダを有するアセンブリランプ構造を提供する。【解決手段】長尺状ＬＥＤランプホルダを有するアセンブリランプ構造は、長尺状ＬＥＤランプホルダ１、少なくとも１つのＬＥＤ発光モジュール２、長尺状ランプカバー３を備える。長尺状ＬＥＤランプホルダ１は、アルミニウム押出成形管体であり、一体成形された接続片１０、２つの側片１１及び固定片１２を有する。側片１１は、接続片１０の両端から外側に向かって徐々に開いた状態で斜めにそれぞれ設けられる。側片１１の外周面には、間隔をおいて配列された複数の凸部１６がそれぞれ設けられる。固定片１２は、接続片１０に対して平行に配置され、側片１１に両端がそれぞれ接続されて天井板上又は壁上に取り付けられている。【選択図】図１
0003171786.tif 000002
【実用新案登録請求の範囲】
【請求項１】
長尺状ＬＥＤランプホルダ、少なくとも１つのＬＥＤ発光モジュール、長尺状ランプカバーを備える長尺状ＬＥＤランプホルダを有するアセンブリランプ構造であって、
前記長尺状ＬＥＤランプホルダは、アルミニウム押出成形管体であり、一体成形された接続片、２つの側片及び固定片を有し、前記側片は、前記接続片の両端から外側に向かって徐々に開いた状態で斜めにそれぞれ設けられ、前記側片の外周面には、間隔をおいて配列された複数の凸部がそれぞれ設けられ、前記固定片は、前記接続片に対して平行に配置され、前記側片に両端がそれぞれ接続されて天井板上又は壁上に取り付けられ、
前記ＬＥＤ発光モジュールは、長尺状の回路基板と、前記回路基板上に接続された複数のＬＥＤと、を有し、前記回路基板は、前記接続片の外側面に接続され、前記ＬＥＤは、前記回路基板の外側面上にそれぞれ配置され、
前記長尺状ランプカバーは、透光材料であり、前記接続片に接続されて前記ＬＥＤ発光モジュールを覆うことを特徴とする長尺状ＬＥＤランプホルダを有するアセンブリランプ構造。
【請求項２】
前記固定片には、天井板上又は壁上に設けられた吊り釘に引掛ける複数の引掛け孔が設けられていることを特徴とする請求項１に記載の長尺状ＬＥＤランプホルダを有するアセンブリランプ構造。
【請求項３】
前記引掛け孔は、挿入孔及び係止孔を有し、
前記係止孔は、長尺状であり、前記挿入孔の孔径より小さい幅を有し、前記挿入孔と連通することを特徴とする請求項２に記載の長尺状ＬＥＤランプホルダを有するアセンブリランプ構造。
【請求項４】
前記接続片には、溝状の２つの係合溝が設けられ、
前記長尺状ランプカバーの両側辺には、前記係合溝にそれぞれ係合させる係止縁部がそれぞれ設けられていることを特徴とする請求項１に記載の長尺状ＬＥＤランプホルダを有するアセンブリランプ構造。
【請求項５】
前記長尺状ＬＥＤランプホルダに接続される２つのベースをさらに備え、
前記ベースのそれぞれは、前記長尺状ＬＥＤランプホルダ及び前記長尺状ランプカバーの両端面を覆い、天井板上又は壁上に取り付けられることを特徴とする請求項１乃至４に記載の長尺状ＬＥＤランプホルダを有するアセンブリランプ構造。
【請求項６】
前記ベースには、固定ネジを螺合して天井板上又は壁上に前記ベースを螺着させる固定孔がそれぞれ設けられていることを特徴とする請求項５に記載の長尺状ＬＥＤランプホルダを有するアセンブリランプ構造。
【請求項７】
前記固定孔は、前記ベースの側辺まで延伸されて開口状になっていることを特徴とする請求項６に記載の長尺状ＬＥＤランプホルダを有するアセンブリランプ構造。
【請求項８】
前記ベースのそれぞれは、一方の側面上に複数のリブが突設され、
前記リブは、天井板上又は壁上にそれぞれ当接されることを特徴とする請求項７に記載の長尺状ＬＥＤランプホルダを有するアセンブリランプ構造。
【請求項９】
前記ベースには、電源線の端部に設けられたプラグを挿入して商用電源に接続したり、他のランプに直列接続したりするための挿入口が設けられていることを特徴とする請求項８に記載の長尺状ＬＥＤランプホルダを有するアセンブリランプ構造。
【請求項１０】
前記長尺状ＬＥＤランプホルダの前記接続片の外側面には、前記回路基板を嵌着させる凹溝が設けられ、
前記回路基板は、複数のボルトにより前記接続片に接続され、
前記凹溝の底面には、前記ボルトをそれぞれ螺合させる溝部が設けられていることを特徴とする請求項９に記載の長尺状ＬＥＤランプホルダを有するアセンブリランプ構造。
【請求項１１】
前記ベースの一側面には、前記長尺状ＬＥＤランプホルダ及び前記長尺状ランプカバーの両端を嵌入する複数の突片が設けられ、
前記ベースは、複数の結合ボルトにより前記長尺状ＬＥＤランプホルダの両端面に螺着され、
前記長尺状ＬＥＤランプホルダの両端面には、前記結合ボルトを螺合させる複数の結合孔が設けられていることを特徴とする請求項１０に記載の長尺状ＬＥＤランプホルダを有するアセンブリランプ構造。
【請求項１２】
前記長尺状ＬＥＤランプホルダの前記側片は弧形状であることを特徴とする請求項９に記載の長尺状ＬＥＤランプホルダを有するアセンブリランプ構造。
【考案の詳細な説明】
【技術分野】
【０００１】
本考案は、ランプの技術分野に関し、特に、組立が簡単で、様々な規格で製作が可能で、製造コストが安価で、放熱効果に優れた長尺状ＬＥＤランプホルダを有するアセンブリランプ構造に関する。
【背景技術】
【０００２】
従来のＬＥＤ照明ランプの構造は、ランプホルダ及びＬＥＤランプを含む。ランプホルダは、板体が折り曲げられて成形され、上に接続ベースを有する。ＬＥＤランプの両端には、ランプホルダの接続ベースへ着脱自在に取り付けることが可能なピンが設けられている。そのため、ランプホルダ及びＬＥＤランプの構造が複雑となり、製作及び組立てに手間がかかり、製作コストが多くかかる。特に、ＬＥＤ照明ランプのランプホルダ及びＬＥＤランプのサイズ及び規格が固定されているため、消費者のニーズに応えるために、様々な固定サイズ及び規格（１尺、２尺、４尺など）のランプホルダ又はＬＥＤランプを予め大量に製作しておく必要がある。そのため製作コストが多くかかり、特に、在庫が増える虞がある。さらに、従来のＬＥＤ照明ランプの熱源（発光モジュール）は、ＬＥＤランプ内に配置されているため、放熱構造をＬＥＤランプに設ける必要があった。しかし、ＬＥＤランプの体積が制限されているため、放熱構造の面積を大きくすることができず、放熱効果が悪くなり、高温による光減衰が生じ、ＬＥＤ照明ランプの輝度及び効率に悪影響を与える虞がある。
【考案の概要】
【考案が解決しようとする課題】
【０００３】
本考案の主な目的は、組立が簡単で、様々な規格で製作が可能で、コストが安価で、放熱効果が高い長尺状ＬＥＤランプホルダを有するアセンブリランプ構造を提供することにある。
【課題を解決するための手段】
【０００４】
上記課題を解決するために、本考案の第１の形態によれば、長尺状ＬＥＤランプホルダ、少なくとも１つのＬＥＤ発光モジュール、長尺状ランプカバーを備える長尺状ＬＥＤランプホルダを有するアセンブリランプ構造であって、前記長尺状ＬＥＤランプホルダは、アルミニウム押出成形管体であり、一体成形された接続片、２つの側片及び固定片を有し、前記側片は、前記接続片の両端から外側に向かって徐々に開いた状態で斜めにそれぞれ設けられ、前記側片の外周面には、間隔をおいて配列された複数の凸部がそれぞれ設けられ、前記固定片は、前記接続片に対して平行に配置され、前記側片に両端がそれぞれ接続されて天井板上又は壁上に取り付けられ、前記ＬＥＤ発光モジュールは、長尺状の回路基板と、前記回路基板上に接続された複数のＬＥＤと、を有し、前記回路基板は、前記接続片の外側面に接続され、前記ＬＥＤは、前記回路基板の外側面上にそれぞれ配置され、  前記長尺状ランプカバーは、透光材料であり、前記接続片に接続されて前記ＬＥＤ発光モジュールを覆うことを特徴とする長尺状ＬＥＤランプホルダを有するアセンブリランプ構造が提供される。
【０００５】
前記固定片には、天井板上又は壁上に設けられた吊り釘に引掛ける複数の引掛け孔が設けられていることが好ましい。
【０００６】
前記引掛け孔は、挿入孔及び係止孔を有し、前記係止孔は、長尺状であり、前記挿入孔の孔径より小さい幅を有し、前記挿入孔と連通することが好ましい。
【０００７】
前記接続片には、溝状の２つの係合溝が設けられ、前記長尺状ランプカバーの両側辺には、前記係合溝にそれぞれ係合させる係止縁部がそれぞれ設けられていることが好ましい。
【０００８】
前記長尺状ＬＥＤランプホルダに接続される２つのベースをさらに備え、前記ベースのそれぞれは、前記長尺状ＬＥＤランプホルダ及び前記長尺状ランプカバーの両端面を覆い、天井板上又は壁上に取り付けられることが好ましい。
【０００９】
前記ベースには、固定ネジを螺合して天井板上又は壁上に前記ベースを螺着させる固定孔がそれぞれ設けられていることが好ましい。
【００１０】
前記固定孔は、前記ベースの側辺まで延伸されて開口状になっていることが好ましい。
【００１１】
前記ベースのそれぞれは、一方の側面上に複数のリブが突設され、前記リブは、天井板上又は壁上にそれぞれ当接されることが好ましい。
【００１２】
前記ベースには、電源線の端部に設けられたプラグを挿入して商用電源に接続したり、他のランプに直列接続したりするための挿入口が設けられていることが好ましい。
【００１３】
前記長尺状ＬＥＤランプホルダの前記接続片の外側面には、前記回路基板を嵌着させる凹溝が設けられ、前記回路基板は、複数のボルトにより前記接続片に接続され、前記凹溝の底面には、前記ボルトをそれぞれ螺合させる溝部が設けられていることが好ましい。
【００１４】
前記ベースの一側面には、前記長尺状ＬＥＤランプホルダ及び前記長尺状ランプカバーの両端を嵌入する複数の突片が設けられ、前記ベースは、複数の結合ボルトにより前記長尺状ＬＥＤランプホルダの両端面に螺着され、前記長尺状ＬＥＤランプホルダの両端面には、前記結合ボルトを螺合させる複数の結合孔が設けられていることが好ましい。
【００１５】
前記長尺状ＬＥＤランプホルダの前記側片は弧形状であることが好ましい。
【考案の効果】
【００１６】
本考案の長尺状ＬＥＤランプホルダを有するアセンブリランプ構造は、組立が簡単で、様々な規格で製作が可能で、コストが安価で、放熱効果を高めることができる。
【図面の簡単な説明】
【００１７】
【図１】本考案の一実施形態による長尺状ＬＥＤランプホルダを有するアセンブリランプ構造を示す分解斜視図である。
【図２】本考案の一実施形態による長尺状ＬＥＤランプホルダを有するアセンブリランプ構造を示す斜視図である。
【図３】本考案の一実施形態による長尺状ＬＥＤランプホルダを有するアセンブリランプ構造を他の方向から見たときの状態を示す斜視図である。
【図４】本考案の一実施形態による長尺状ＬＥＤランプホルダを有するアセンブリランプ構造を示す断面図である。
【図５】図４の線Ａ−Ａに沿った断面図である。
【考案を実施するための形態】
【００１８】
以下、本考案の実施形態について図に基づいて説明する。なお、これによって本考案が限定されるものではない。
【００１９】
図１〜図５を参照する。図１〜図５に示すように、本考案の一実施形態による長尺状ＬＥＤランプホルダ１を有するアセンブリランプ構造は、少なくとも長尺状ＬＥＤランプホルダ１、少なくとも１つのＬＥＤ発光モジュール２、長尺状ランプカバー３及び２つのベース４から構成される。
【００２０】
長尺状ＬＥＤランプホルダ１は、アルミニウム押出成形管体であり、一体成形された接続片１０、２つの側片１１及び固定片１２を有する。接続片１０の外側面には、凹溝１３が設けられている。凹溝１３の底面には溝部１４が設けられている。接続片１０の両側面には、溝状の係合溝１５がそれぞれ設けられている。２つの側片１１は、弧形状であり、接続片１０の両端から外側に向かって徐々に開いた状態で斜めに設けられ、２つの側片１１の外周面には、間隔をおいて配列された複数の凸部１６が設けられている。固定片１２は、接続片１０に対して平行に配置され、両端が２つの側片１１に接続されている。固定片１２上には、天井板上又は壁上の吊り釘（図示せず）に引掛ける複数の引掛け孔１７が設けられている。各引掛け孔１７は、挿入孔１７０及び係止孔１７１をそれぞれ有する。この係止孔１７１は、長尺状で、挿入孔１７０の孔径より小さい幅を有し、挿入孔１７０と連通している。長尺状ＬＥＤランプホルダ１の両端面には、複数の結合孔１８が設けられている。
【００２１】
ＬＥＤ発光モジュール２は、長尺状の回路基板２０及び複数のＬＥＤ２１を有する。回路基板２０は、複数のボルト２２により凹溝１３に結合される。これら複数のボルト２２は、溝部１４に螺合される。これら複数のＬＥＤ２１は、回路基板２０の外側面上に設けられる。
【００２２】
長尺状ランプカバー３は、透光材料であり、接続片１０に接続されてＬＥＤ発光モジュール２を覆う。長尺状ランプカバー３の両側辺には、２つの係合溝１５に係合させる係止縁部３０がそれぞれ設けられている。
【００２３】
２つのベース４は、複数の結合ボルト４０により長尺状ＬＥＤランプホルダ１の両端へ螺着され、長尺状ＬＥＤランプホルダ１及び長尺状ランプカバー３の両端面を覆う。複数の結合ボルト４０は、結合孔１８にそれぞれ螺合される。各ベース４上には、固定ネジ４１０を利用し、天井板上又は壁上に螺合させるために用いる固定孔４１が設けられている。固定孔４１は、ベース４の側辺まで延伸され、開口状となっている。各ベース４は、一方の側面上に複数のリブ４２が突設され、他方の側面に複数の突片４３が設けられている。複数のリブ４２は、天井板上又は壁上に設けられ、長尺状ＬＥＤランプホルダ１及び長尺状ランプカバー３の両端内に複数の突片４３が嵌入されている。また、ベース４上には、電源線（図示せず）の端部に設けられたプラグを挿入して商用電源に接続するために用いる挿入口４４が設けられたり、接続線又は接続部材により他の長尺状ＬＥＤランプホルダ１を有するアセンブリランプ構造のベース４の挿入口４４に直列接続させることにより、長尺状ＬＥＤランプホルダ１を有するアセンブリランプ構造数個を直列接続して使用してもよい。
【００２４】
本実施形態の長尺状ＬＥＤランプホルダ１は、アルミニウム押出成形管体であるため、製造コストが少ない上、実際の必要に応じて長尺状ＬＥＤランプホルダ１及び長尺状ランプカバー３を様々なサイズ及び規格（例えば、１尺、２尺、４尺、１２尺など）に切断することができる。そのため、消費者の様々なニーズに応じることができる。これにより、在庫が大量に発生する問題が発生することを防ぎ、全体の製作及び組立が便利である。また、ＬＥＤ発光モジュール２（即ち、熱源）が長尺状ＬＥＤランプホルダ１の接続片１０に結合され、接続片１０と接続されて外側に開いた状態の２つの側片１１と、２つの側片１１の外周面上に設けた複数の凸部１６とを利用し、全体の放熱面積を増大させることができる。この構成により、放熱効果を高めて高温となることを防ぎ、光減衰を大幅に減らすことができる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１      長尺状ＬＥＤランプホルダ
２      ＬＥＤ発光モジュール
３      長尺状ランプカバー
４      ベース
１０    接続片
１１    側片
１２    固定片
１３    凹溝
１４    溝部
１５    係合溝
１６    凸部
１７    引掛け孔
１８    結合孔
２０    回路基板
２１    ＬＥＤ
２２    ボルト
３０    係止縁部
４０    結合ボルト
４１    固定孔
４２    リブ
４３    突片
４４    挿入口
１７０  挿入孔
１７１  係止孔
４１０  固定ネジ
【図１】
0003171786.tif 000003
【図２】
0003171786.tif 000004
【図３】
0003171786.tif 000005
【図４】
0003171786.tif 000006
【図５】
0003171786.tif 000007